【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
レンズ鏡筒を着脱可能なカメラボディであって、
前記レンズ鏡筒の第１筒と連結される第１連結部を有する第１筐体と、
前記レンズ鏡筒の第２筒と連結される第２連結部と撮像素子とを有する第２筐体と、
前記第１筐体に対する前記第２筐体の可動範囲が第１範囲の状態と第２範囲の状態とを切り替える切り替え部と、
を備えるカメラボディ。
【請求項２】
請求項１に記載のカメラボディであって、
前記第２範囲は、前記第１範囲に含まれる範囲である、
カメラボディ。
【請求項３】
請求項１又は請求項２に記載のカメラボディであって、
前記第２筐体は、前記第２連結部を介して前記第２筒の駆動と連動する、
カメラボディ。
【請求項４】
請求項１から請求項３までのいずれか一項に記載のカメラボディであって、
前記切り替え部は、前記第２連結部を介して前記第２筒と前記第２筐体とが連結されていない場合、前記可動範囲を前記第２範囲にする、
カメラボディ。
【請求項５】
請求項１から請求項４までのいずれか一項に記載のカメラボディであって、
前記切り替え部は、前記第２連結部を介して前記第２筒と前記第２筐体とが連結されている場合、前記可動範囲を前記第１範囲にする、
カメラボディ。
【請求項６】
請求項１から請求項５までのいずれか一項に記載のカメラボディであって、
前記切り替え部は、設定されたモード又は撮影条件に基づいて、前記第１範囲と前記第２範囲とを切り替える、
カメラボディ。
【請求項７】
請求項１から請求項６までのいずれか一項に記載のカメラボディであって、
前記切り替え部は、検出部によって検出された前記第２筒又は前記第２筐体の移動量に基づいて、前記第１範囲と前記第２範囲とを切り替える、
カメラボディ。
【請求項８】
請求項１から請求項７までのいずれか一項に記載のカメラボディであって、
前記切り替え部は、ユーザの操作に基づいて、前記第１範囲と前記第２範囲とを切り替える、
カメラボディ。
【請求項９】
請求項１から請求項８までのいずれか一項に記載のカメラボディであって、
前記切り替え部は、前記第１筐体と前記第２筐体とを連結する筐体連結部を有し、前記第１筐体と前記第２筐体との連結によって前記可動範囲を前記第２範囲にする、
カメラボディ。
【請求項１０】
撮像部に対して着脱可能なマウント部を有するレンズ鏡筒であって、
撮像部に対して被写体像を結像する結像光学系と、
前記結像光学系の少なくとも一部を支持する支持部と、
前記支持部の外側に配置されて前記マウント部に固定される固定部と、を備え、
前記支持部は、前記撮像部と共に、前記固定部に対して相対的に回転移動可能である、レンズ鏡筒。
【請求項１１】
請求項１０に記載のレンズ鏡筒であって、
前記支持部は、
少なくとも一部が前記固定部の内側に配置され、第１軸を中心として回転する第１筐体と、
少なくとも一部が前記第１筐体の内側に配置され、前記第１軸と直交する第２軸を中心として回転する第２筐体と、
を備えるレンズ鏡筒。
【請求項１２】
請求項１１に記載のレンズ鏡筒であって、
前記第１筐体を、前記第１軸を中心として回転駆動する第１駆動部と、
前記第２筐体を、前記第２軸を中心として回転駆動する第２駆動部と、
を備えるレンズ鏡筒。
【請求項１３】
請求項１２に記載のレンズ鏡筒であって、
前記第１駆動部は、第１コイルと第１マグネットを有し、
前記第１コイル又は前記第１マグネットの一方は前記固定部に配置され、他方は、前記一方に対向して前記第１筐体に配置され、
前記第２駆動部は、第２コイルと第２マグネットを有し、
前記第２コイル又は前記第２マグネットの一方は前記第１筐体に配置され、他方は前記一方に対向して前記第２筐体に配置されている、
レンズ鏡筒。
【請求項１４】
請求項１３に記載のレンズ鏡筒であって、
前記第１コイル及び前記第２コイルに接続される信号線は、周方向に弛みを有して配置されている、
レンズ鏡筒。
【請求項１５】
請求項１２から請求項１４までのいずれか一項に記載のレンズ鏡筒であって、
前記第２筐体は光軸方向に伸縮可能であり、
前記第１駆動部のうちの前記第１筐体に設けられた一方は、前記第１軸を中心として揺動し、
前記第２筐体の前記光軸方向の伸縮に伴い、前記一方は前記第１軸からの距離を変更可能である、
レンズ鏡筒。
【請求項１６】
請求項１２から請求項１５までのいずれか一項に記載のレンズ鏡筒であって、
前記第１駆動部は、第３コイルと第３マグネットを有し、
前記第３コイル又は前記第３マグネットの一方は前記固定部に配置され、他方は、前記一方に対向して前記第１筐体に配置され、
前記第３コイル又は前記第３マグネットそれぞれの対向面は、略球面状である、
レンズ鏡筒。
【請求項１７】
請求項１６に記載のレンズ鏡筒であって、
前記第３コイル又は前記第３マグネットそれぞれの略球状の対向面の球の中心は、前記第１軸と光軸との交点近傍にある、
レンズ鏡筒。
【請求項１８】
請求項１１から請求項１７までのいずれか一項に記載のレンズ鏡筒であって、
前記第１筐体を回転駆動する駆動力を伝達する第１伝達部と、
前記第２筐体を回転駆動する駆動力を伝達する第２伝達部と、
を備えるレンズ鏡筒。
【請求項１９】
請求項１１から請求項１８までのいずれか一項に記載のレンズ鏡筒であって、
前記第２筐体の外周側に配置される第３筐体を備え、
前記第２筐体は、前記第３筐体の被写体側よりも少なくとも一部が被写体側に突出しており、且つ、光軸方向に伸縮可能であり、
前記第３筐体の前記被写体側の端部には、内周に沿って内径側に延びる弾性部材が取り付けられ、
前記第２筐体の前記被写体側の端部には、外周に沿って外径側に突出した突出部が設けられ、
前記第２筐体が収縮した縮筒状態で前記突出部は、前記弾性部材と接触して押圧することにより、前記第３筐体と前記第２筐体との隙間を密封し、
前記第２筐体が縮筒状態以外の場合、前記弾性部材は前記突出部と非接触である、
レンズ鏡筒。
【請求項２０】
請求項１１から請求項１９までのいずれか一項に記載のレンズ鏡筒であって、
前記第２筐体は、前記結像光学系の一部を、光軸上の同一点を通り且つ光軸に対して略直交する面内で移動する第３駆動部を有する、
レンズ鏡筒。
【請求項２１】
請求項１０から請求項２０までのいずれか一項に記載のレンズ鏡筒であって、
前記レンズ鏡筒の振れを検出する振れ検出部を、前記固定部及び前記支持部の少なくとも一方に備える、
レンズ鏡筒。
【請求項２２】
請求項２１に記載のレンズ鏡筒であって、
前記振れ検出部は、前記支持部と前記固定部との相対移動の中心軸上に配置されている、
レンズ鏡筒。
【請求項２３】
請求項１０から請求項２２までのいずれか一項に記載のレンズ鏡筒であって、
前記支持部を前記固定部に固定する固定構造を備えた、
レンズ鏡筒。
【請求項２４】
請求項１０から請求項２３までのいずれか一項に記載のレンズ鏡筒であって、
前記支持部の駆動量を検出する検出部を備えた、
レンズ鏡筒。
【請求項２５】
結像光学系を有するレンズ鏡筒の少なくとも一部と着脱可能な内マウント部と、
前記結像光学系により結像される被写体像を撮像する撮像部と、
前記撮像部の外側に配置されるボディ固定部と、を備え、
前記撮像部は前記内マウント部とともに、前記結像光学系の光軸に対して略直交する２以上の軸を中心として前記ボディ固定部に対して相対的に移動可能であるカメラボディ。